(57)【要約】  本発明はスピーカに関する。従来技術によるスピーカにより生成される音波は、空間に放射されるか、または予め定められた幾何学構造の周囲空間に放射される。本発明の課題は、改善された空間音響性能を有するスピーカを提供することである本発明の実施形態によれば、スピーカは、ハウジングと、少なくとも１つのドライバ装置と、ドライバ装置をハウジングに取り付けるための可動機構を含む取り付けデバイスとを備える。ドライバ装置は、少なくとも１つの電気音響ドライバを備える。取り付けデバイスを用いて、ドライバ装置は、異なる予め定められた位置でハウジングに取り付けられる。取り付けデバイスは、ドライバ装置がハウジングに対して少なくとも第１の位置および少なくとも第２の位置に配置され得るように適合させられる。
2019515613.tif 000002
【特許請求の範囲】
【請求項１】
聴いている人に対向する前部と、特に前記前部と垂直である少なくとも側部とを有するハウジングと、
少なくとも１つの電気音響ドライバを有する少なくとも１つのドライバ装置と、
前記ドライバ装置を前記ハウジングに取り付けるための可動機構を有する取り付けデバイスと
を備え、
前記取り付けデバイスは、前記ドライバ装置が、少なくとも第１の位置および第２の位置で、特に中間位置で、前記ハウジングに対して配置され得るように構成される、
スピーカ。
【請求項２】
前記取り付けデバイスは、前記ドライバ装置の前記第１の位置と前記第２の位置との間の変更が、並進移動により、回転移動により、並進移動と回転移動とにより、並進移動のみにより、または回転移動のみにより実行され得るように構成される、
請求項１に記載のスピーカ。
【請求項３】
前記可動機構は、前記ドライバ装置が並進可能に前記ハウジングに取り付けられるように構成される並進機構である、
請求項２に記載のスピーカ。
【請求項４】
前記スピーカの動作位置に関して、前記第１の位置は、前記第２の位置よりも地面に近い、
請求項３に記載のスピーカ。
【請求項５】
前記ドライバ装置は、少なくとも１つの中央ドライバと、少なくとも１つのツイータドライバとを有する、
請求項１から４のいずれか一項に記載のスピーカ。
【請求項６】
少なくとも１つのドライバ（１５）が、前記少なくとも１つのドライバ（１５）の主音方向が前記ハウジングの前記前部に対して主に垂直かつ外側に向けられるように、前記ドライバ装置に取り付けられ、
少なくとも１つのドライバ（１６）が、前記少なくとも１つのドライバ（１６）の主音方向が前記前部に対して主に垂直かつ内側に向けられるように、前記ドライバ装置に取り付けられている、
請求項１から５のいずれか一項に記載のスピーカ。
【請求項７】
前記ドライバ装置は、外側に向いた第１のツイータドライバと、内側に向いた第２のツイータドライバとを有する、
請求項６に記載のスピーカ。
【請求項８】
前記可動機構は、前記ドライバ装置が前記ハウジングに回転可能に取り付けられるように構成される回転機構である、
請求項２に記載のスピーカ。
【請求項９】
前記第１の位置において、前記ドライバ装置の主音方向は主に、前記ハウジングの前記前部と平行であり、
前記第２の位置において、前記主音方向は主に、前記前部と垂直である、
請求項８に記載のスピーカ。
【請求項１０】
前記ドライバ装置は、少なくとも１つのウーファドライバと、前記ウーファドライバを支える共鳴ケーシングとを有する、
請求項８または９に記載のスピーカ。
【請求項１１】
請求項３から７のいずれか一項に記載のドライバ装置による第１のドライバ装置と、
請求項８から１０のいずれか一項に記載のドライバ装置による第２のドライバ装置と、
第１の取り付けデバイスと、
第２の取り付けデバイスと
を備え、
前記第１の取り付けデバイスは並進機構を有し、
前記並進機構は、前記第１のドライバ装置が並進可能に前記ハウジングに取り付けられるように、かつ、前記第１のドライバ装置の主音方向が主に前記ハウジングの前記前部と垂直であるように構成され、
前記第２の取り付けデバイスは回転機構を有し、
前記回転機構は、前記第２のドライバ装置が回転可能に前記ハウジングに取り付けられるように構成される、
請求項１から１０のいずれか一項に記載のスピーカ。
【請求項１２】
前記第１の取り付けデバイスは、前記第１のドライバ装置の前記第１の位置と前記第２の位置との間の変更が、並進移動のみにより実行され得るように構成され、
前記第２の取り付けデバイスは、前記第２のドライバ装置の前記第１の位置と前記第２の位置との間の変更が、回転移動のみにより実行され得るように構成される、
請求項１１に記載のスピーカ。
【請求項１３】
前記第２のドライバ装置は、前記第１の位置にある場合、前記第２のドライバ装置の主音方向が主に、前記第１のドライバ装置の前記主音方向に対して垂直に向くように構成される、
請求項１１または１２に記載のスピーカ。
【請求項１４】
前記第２のドライバ装置は、前記第２の位置にある場合、前記第２のドライバ装置の主音方向が、前記第１のドライバ装置の前記主音方向に対して平行に向くように構成される、
請求項１１から１３のいずれか一項に記載のスピーカ。
【請求項１５】
前記ハウジングはフレーム状形状を有し、
前記第１のドライバ装置は前記ハウジングの前記前部に位置し、前記前部は前記フレーム状形状の開口と垂直であり、
前記開口は前記前部よりも大きく、
前記第２のドライバ装置は、少なくとも部分的に前記ハウジング内に取り付けられ、前記ハウジングの前記フレーム状形状により受け入れられている、
請求項１１から１４のいずれか一項に記載のスピーカ。
【請求項１６】
前記第２のドライバ装置の前記第１の位置と前記第２の位置との間の回転角度が少なくとも実質的に９０°である、
請求項１１から１５のいずれか一項に記載のスピーカ。
【請求項１７】
前記ハウジングおよび前記第２のドライバ装置は、前記第２のドライバ装置が、前記第１の位置にある場合、完全に前記ハウジングの前記フレーム状形状内に配置され、主に前記ハウジングから突出しないような幾何学特性を有する、
請求項１１から１６のいずれか一項に記載のスピーカ。
【請求項１８】
前記第２のドライバ装置は、前記第２のドライバ装置が前記第２の位置にある場合、前記第１のドライバ装置のドライバの前にあるように前記第２のドライバ装置上に配置された反射表面を有し、
前記反射表面は前記前部に対して内側に向いている、
請求項１１から１７のいずれか一項に記載のスピーカ。
【請求項１９】
前記スピーカと同じ領域にいる人の体勢を識別するための検出デバイスを備える、
請求項１から１８のいずれか一項に記載のスピーカ。
【請求項２０】
第１の動作モードでは、前記第１のドライバ装置は前記第１の位置にあり、前記第２のドライバ装置は前記第１の位置にあり、
第２の動作モードでは、前記第１のドライバ装置は前記第２の位置にあり、前記第２のドライバ装置は前記第２の位置にある、
請求項１１から１９のいずれか一項に記載のスピーカを動作させるための方法。
【請求項２１】
前記スピーカの前記領域にいる人々の大多数が座位である場合、前記スピーカは前記第１の動作モードで動作し、
前記スピーカの前記領域にいる人々の大多数が立位である場合、前記スピーカは前記第２の動作モードで動作する、
請求項１９に記載のスピーカを動作させるための、請求項２０に記載の方法。
【請求項２２】
第１のスピーカおよび第２のスピーカを備え、前記第１のスピーカおよび前記第２のスピーカが請求項７から１９のいずれか一項に記載の一対のスピーカ。
【請求項２３】
前記第１のスピーカおよび前記第２のスピーカは、前記第１のスピーカの前記第２のドライバ装置を前記第１の位置から前記第２の位置へ動かした場合の前記第１のスピーカの第１の回転方向が、前記第２のスピーカの前記第２のドライバ装置を前記第１の位置から前記第２の位置へ動かした場合の前記第２のスピーカの第２の回転方向に対して反対を向くように構成される、
請求項２２に記載の一対のスピーカ。
【発明の詳細な説明】
【技術分野】
【０００１】
本発明はスピーカに関する。通常、スピーカは、ハウジングと、音波における電気信号を音響信号にそれぞれ変換するための少なくとも１つの音響ドライバとを備える。スピーカボックスとも呼ばれるそのようなスピーカは、ほとんどの場合、音響ステレオ効果を得るために２つ一組で、標準的なステレオ機器において用いられる。
【０００２】
［従来技術］  そのようなスピーカは、広く知られており、一般に、複数のドライバ、例えば、ウーファドライバ（低音ドライバ）を含む。そのようなウーファドライバにより、電気音響信号が、ボイスコイルおよびダイアフラムを介して、人間が聴き取り得る周波数に対して中間周波数から低周波数の音波に変換される。高忠実度（ハイファイ）の再生音を得るために、ツイータドライバ、中間域ドライバおよび／またはウーファドライバが同じハウジングに配置される。各ドライバは、可聴周波数範囲のある部分を再生する。
【０００３】
さらに、特定のタイプのスピーカには、ハウジングに取り付けられたバスレフレックスチューブが付属しており、これは、（反射）ポートまたはベントとしても知られている。そのような手段により、これらのスピーカは、ダイアフラムの後側からの音を用いて、低周波数帯での効率を増している。
【０００４】
公開されているドイツ特許出願第１  ８１２  ５９６号は、大型の筐体におけるウーファを含むスピーカシステムを説明している。一対のより小さなスピーカが、前部縁に近接する筐体お上部で支持され、これらの小さいスピーカの軸が、実質的に９０°という角度で対している。ウーファおよび小さいスピーカの両方が、一般的な中間周波数範囲を越えるエネルギを放射する。
【０００５】
［従来技術の欠点］  従来技術によるスピーカにより生成された音波は、空間に放射されるか、または、予め定められた幾何学構造における周囲空間に放射される。上記構造は主に、関連する空間または周囲に対するスピーカおよびその音響ドライバの位置に非常に影響を受ける。故に、聴いている人は、様々な音響的印象を体験する。上記印象は、この空間内にいるか、またはスピーカの周囲にいる、聴いている人の位置に応じて、音波の音響的な質および圧力の点で異なる。
【０００６】
この課題を克服すべく、いわゆるサラウンドサウンドを提供するスピーカシステムが用いられる。そのようなシステムは、複数のスピーカ、例えば５つのスピーカを有する。これらのスピーカは、空間において均等に位置し、この空間において均等に分散した音波を生成する。これらのサラウンドサウンドシステムは、高度の複雑さを有するので、単一の構成要素の数が多い。
【０００７】
［発明が解決しようとする課題］  従って、本発明の課題は、現在のスピーカおよびスピーカシステムの言及された欠点を克服することである。特に、改善された空間音響性能を有し、それにより、聴いている人の位置への依存がより少ない音響上の印象を与えるスピーカが提供されるであろう。
【発明の概要】
【０００８】
上述の課題は、請求項１に記載のスピーカおよび請求項２２に記載の一対のスピーカにより解決される。さらに、上記課題は、請求項２０に記載の方法を用いてそのようなスピーカを動作させることにより解決される。
【０００９】
本発明の実施形態によれば、スピーカは、ハウジングと、少なくとも１つのドライバ装置と、ドライバ装置をハウジングに取り付けるための可動機構を含む取り付けデバイスとを備える。
【００１０】
ハウジングは、例えば、スピーカがその動作のために配置される壁、床、スタンドまたは任意の他の支持構造にスピーカを配置するか、位置付けるか、または取り付けるように構成されるケース状構造またはフレーム状構造といった構造であり得る。通常、ハウジングは、前部と少なくとも側部とを有する。ハウジングにおいて、スピーカは、前部が聴いている人に対向するように、または、前部が聴いている人に対向するよう聴いている人が自分を位置させるように配置される。ハウジングの側部は、構造的構成要素の形で具現化される必要は必ずしもなく、単に、スピーカボックスのハウジングの、例えば開側部の幾何学特性の定義でもあり得る。
【００１１】
スピーカのドライバ装置は、一般にスピーカとも称される、電気信号を音響信号に変換するための少なくとも１つの電気音響ドライバを備える。当該電気音響ドライバにおいて、音響信号は音波という形になる。例えば、そのようなドライバは、低範囲の音響周波数を生成するためのウーファドライバ、中間範囲の音響周波数を生成するためのドライバまたはツイータドライバであり得る。さらに、ドライバ装置は、ドライバまたは複数のドライバを所望の態様で支持するための構造を備え得る。
【００１２】
取り付けデバイスを用いて、ドライバ装置は、異なる予め定められた位置でハウジングに取り付けられる。取り付けデバイスは、ドライバ装置が、ハウジングに対して、少なくとも第１の位置および少なくとも第２の位置に配置され得るように適合させられる。取り付けデバイスは、任意選択で、ドライバ装置が第１の位置と第２の位置との間の中間位置でもハウジングに対して配置され得るように構成され得る。
【００１３】
上記教示は、音波を生成するスピーカを提供する。スピーカにおいて、放射される音波の空間特性は、調整可能である、および／またはドライバ装置の位置に応じて異なり得る。特に、音波の空間特性を適合させるために、特に、ドライバ装置のドライバの主音方向を変えるために、ドライバ装置は、第１の位置、第２の位置または中間位置に並ばされ得、主音方向のベクトルは各位置に応じて異なる。
【００１４】
本発明は概して、ハウジングが、開体積または閉体積を含むケース状構造であるスピーカに関する。ハウジングは、スピーカまたはドライバ装置を第３のコンポーネントに装着するための汎用取り付けデバイスとしては参照されない。
【００１５】
実施形態によれば、スピーカは、ハウジングおよびドライバ装置に加えて、音響上効果的な構成要素をさらに備える。この構成要素は、ドライバ装置に装着されないか、または取り付けられない。そのような構成要素は、追加のドライバ、バスレフレックスチューブ、ケーブル、またはドライバ装置のドライバまたは別のドライバに電気信号を送信するための電子機器であり得る。言及された構成要素は、スピーカのハウジングに装着されるか、またはしっかり取り付けられる。
【００１６】
「主音方向」という用語は、この文脈において、のドライバまたはドライバ装置により放射されている全ての音波の全てのベクトルのベクトル和を表す１つのベクトルとして理解されるものとする。代替的に、言及された主音方向の定義が、例えば測定上の問題に起因して、適切に証明され得ない場合、主音方向の立体部分が、ドライバの幾何学的中心を始点とする、ドライバの主ミッション面と垂直な法線方向と定義される。言い換えると、ドライバの主音方向は、その中心を始点として、直線を導き、それから離れて垂直である。ドライバ装置の主音方向が定義されるべき場合、上記ドライバ装置の各ドライバの単一の主音方向が、それに応じて考慮されなければならず、それらのベクトルは要約される。
【００１７】
本発明の一実施形態によれば、取り付けデバイスは、ドライバ装置を第１の位置、第２の位置または中間位置でハウジングに配置すべく、並進移動、回転移動、並進移動および／または回転移動、回転移動のみまたは並進移動のみがドライバ装置によりハウジングに対して実行されるように、適合させられ、具現化され、および／またはドライバ装置およびハウジングに機械的に接続される。
【００１８】
第１の実施形態によれば、ドライバ装置は、ハウジングに並進可能に取り付けられる。これは、可動機構を並進機構として構成することにより、ドライバ装置の第１の位置から第２の位置へのシフトが、並進移動、特に曲線を含まない特に直線上の一方向の移動により実行されることを意味する。結果として、ドライバ装置がシフトした場合、ドライバの主音方向により全体的な方向が変わることはない。第１の位置における主音方向は、第２の位置における主音方向と平行である。
【００１９】
第１の実施形態の一形式によれば、並進機構およびドライバ装置は、そのように構成され、地面に配置されているスピーカの動作位置に関してドライバ装置の第１の位置が第２の位置よりも地面により近くなるようにハウジングに対して取り付けられる。故に、第２の位置にあるドライバ装置のドライバは第１の位置にあるドライバ装置のドライバよりも高い。座位でスピーカを聴く（ドライバ装置は低い第１の位置にある）こと、および、例えば、カクテルパーティで踊るか、または立っている場合など、立位でスピーカを聴く（ドライバ装置は高い第２の位置にある）ことの両方を聴いている人が所望する場合、これは特に有利である。
【００２０】
さらに、取り付けデバイス、ハウジングおよびドライバ装置は、ドライバ装置の第１の位置（低い位置）により、ドライバ装置の主音方向またはドライバ装置のドライバの主音方向が、座っている人のおよそ耳の高さという地面に対して一定距離で形成されるように適合させられる。地面に対する主音方向の高さは、８０ｃｍから１４０ｃｍの間、好ましくは１００ｃｍと１２０ｃｍとの間であることが有利である。
【００２１】
追加的に、言及された、より高い位置（第２の位置）であるドライバ装置と地面との間の距離またはドライバ装置の主音方向と地面との間の距離は、１５０ｃｍと２２０ｃｍとの間、好ましくは１６０ｃｍと２００ｃｍとの間である。
【００２２】
ドライバ装置が少なくとも１つの中央ドライバと少なくとも１つのツイータドライバとを備える場合、前述の実施形態の教示を適用すれば、より大きな効果がある。人間の音響的な感知能力は高周波数から中間周波数の音波の空間特性に対してより感度が高いので、ツイータドライバおよび／または中央ドライバの主音方向を、聴いている人の位置に従って適合させた場合、体験する音質が大幅に改善される。
【００２３】
少なくとも１つのドライバが、そのドライバの主音方向がハウジングの前部に対して主に垂直かつ外側に向くようにドライバ装置に取り付けられることが、さらなる実施形態により開示される。
【００２４】
上述の任意に追加された実施形態によれば、少なくとも１つのドライバが、そのドライバの主音方向が前部に対して主に垂直かつ内側を向くように、ドライバ装置に取り付けられる。そのような追加を用いて、ドライバ装置は２つの音源（ドライバ）を有する。内側を向いたドライバおよび外側を向いたドライバの主音方向の両方のベクトルは、平行であるが互いに反対である。
【００２５】
内側を向いたドライバは、主音方向の定義について考慮されないものとする。
【００２６】
上述の任意に追加された実施形態は、外側を向いているドライバが第１のツイータドライバであり、内側を向いているドライバが第２のツイータドライバであるように具現化され得る。これにより、スピーカのドライバ装置により生成されるより高い可聴周波数が、主音方向とは反対に放射されることで、そのような可聴周波数の空間なミッションが改善される。
【００２７】
さらに、可動機構が回転機構である独立の実施形態が開示される。この実施形態は、ドライバ装置の第１の位置から第２の位置へのシフトおよびその逆のシフトが、回転移動を実行することにより実行されるように具現化される。従って、ドライバ装置は、位置を変える場合、ハウジングに対して回転し、ドライバ装置のドライバの主音方向は、それに応じて回転する。
【００２８】
上述の実施形態に関して、第１の位置にあるドライバ装置の主音方向は、ハウジングの前部に対して主に平行である。第２の位置において、ドライバ装置の主音方向は、前部に対して主に垂直である。そのような回転挙動を可能にするために、回転機構はそれに応じて構成される。
【００２９】
ドライバの主音方向が第１の方向と第２の方向との間で行き来していると、聴いている人にとっての利点になる。例えば、一状況において、聴いている人は、強烈な音響体験をするために音波に直接対向することを所望し得る。別の状況において、そのような強烈で直接的な対向した状態での音響体験は、妨げられ、従って、ドライバ装置およびドライバは、聴いている人とは離れる方を向くものとする。
【００３０】
上述の独立の実施形態の任意の形式によれば、ドライバ装置は、少なくとも１つのウーファドライバと、ウーファドライバを支持している共鳴ケーシングとを備える。比較的低い周波数を「腹で」物理的に感知するという人間の能力により、比較的低い周波数の音波を生成するドライバ装置が前後を往復し得る場合、聴いている人は、特に有利であると認識し得る。上記の低い音波の物理的な体験は、例えば、電子音楽で踊っている間など、非常に望ましい場合がある。そのような音の物理的な体験は、例えば、ジャズまたはクラシック音楽を聴いている場合など、妨げられなければならない場合がある。
【００３１】
上述の実施形態に対して追加的に、または代替的に、本発明の独立の態様がここで示される。スピーカは、第１のドライバ装置と第２のドライバ装置とを備える。第１のドライバ装置は、上述の並進式シフト可能ドライバ装置の実施形態のうちの１つに従って具現化され得る。第２のドライバ装置は、回転関連の実施形態によるものである。故に、スピーカは、少なくとも１つの並進式シフト可能ドライバ装置と、少なくとも１つの回転可能ドライバ装置とを有する。これらの両方は、スピーカのハウジングに対してシフト可能／回転可能である。これには、放射される音の空間特性が聴いている人の好みに適合するという大きな利点がある。それに応じて、スピーカは、第１の取り付けデバイスと、第２の取り付けデバイスとを備える。第１の取り付けデバイスは、第１のドライバ装置をスピーカに取り付けるための並進機構を含む。第２の取り付けデバイスは、第２のドライバ装置をスピーカに取り付けるための回転機構を含む。
【００３２】
第１の位置および第２の位置にある第１のドライバ装置の主音方向がハウジングの前部に対して主に垂直であるように並進機構を構成することは、独立の態様の任意の実施形態である。
【００３３】
さらに、第２のドライバ装置は、第１の位置にある場合、第２のドライバ装置の主音方向が第１のドライバ装置の主音方向に対して主に垂直に向くように構成される。第２の位置にある場合、第２のドライバ装置の主音方向は、第１のドライバ装置の主音方向と平行に向く。
【００３４】
説明される本発明の独立の態様に関して、スピーカのハウジングは、開側部を有するフレーム状形状内に設計される。第１のドライバ装置は、ハウジングの前部のある領域に位置する。この領域において、前部は開側部と垂直であり、開側部は前部よりも大きい。さらに、特に共鳴ケーシングとウーファとを備える第２のドライバ装置は、少なくとも部分的に、ハウジング内に取り付けられ、結果として、フレーム状形状により、従ってハウジングにより囲まれる。
【００３５】
実施形態の別の形式によれば、第２の取り付けデバイスの回転機構は、第２のドライバ装置の第１の位置と第２の位置との間の回転角度が実質的に少なくとも９０°であるように適合させられる。
【００３６】
要約すると、１つの可能な実施形態において、第１のドライバ装置の主音方向は、ハウジングの前部と垂直である。第２のドライバ装置の主音方向は、第１の位置において第２のドライバ装置の主音方向が第１のドライバ装置の主音方向と垂直であり、第２の位置において第２のドライバ装置の主音方向が第１のドライバ装置の主音方向と平行であるように、９０°だけ回転させられ得る。
【００３７】
スピーカのハウジング、特に、スピーカのハウジングのフレーム状形状と、第２のドライバ装置、特に、第２のドライバ装置の共鳴ケーシングとは、第１の位置にある場合、第２のドライバ装置がハウジングのフレーム状形状により完全に受け入れられ、ハウジングから、特にハウジングの開側部から実質的に突出しないように設計され、そのような幾何学特性を有する。この手段により、スピーカ全体の審美的な外観が改善される。特に、そのようなスピーカの深さ（開側部の広さ）は、スピーカの前部よりも大きい。故に、第２のドライバ装置が第１の位置にある場合、スピーカは細長い外観を有する。
【００３８】
第２のドライバ装置は、第２の位置にある場合、フレーム状形状外で回転させられ、従って、特に両方の側部でフレーム状形状と重なる。次に、両方のドライバ装置の両方の主音方向は主に、スピーカの前の聴いている人と平行であり、対向する。
【００３９】
さらなる実施形態によれば、第２のドライバ装置は、反射表面を備える。そのような反射表面は、共鳴ケーシングのウーファ表面上に、またはウーファ表面のそばに配置される。反射表面は、特に、音波の吸収なしで、または小量の吸収のみで音波を反射するのに適している。
【００４０】
この反射表面は、第２のドライバ装置の第２の位置において、段落［００２４］から［００２６］において説明される実施形態による第１のドライバ装置の内側を向いたドライバの前にあるように、第２のドライバ装置上に配置される。故に、反射表面は、第１のドライバ装置の内側に位置するドライバにより放射されている音波を反射する。第１のドライバ装置の外側を向いたドライバと一緒に、内側を向いたドライバの反射された音波は、聴いている人にとって改善された空間音響体験を与える。
【００４１】
本発明のさらなる実施形態によれば、スピーカは、スピーカと同じ領域にいる人の体勢を識別するための検出デバイスを備える。そのような検出デバイスは、スピーカの周囲、特に、スピーカの前にいる人が座っているか、または立っているかを識別するように設計される。特に、検出デバイスは、検出デバイスの検出領域にいるある人または人のグループが立っているか、または動きながら踊っているかを理解するのに適している。この手段により、ドライバ装置の位置は、検出デバイスまたはその制御ソフトウェアにより、自動的に選択および調整され得る。
【００４２】
例えば、検出デバイスがある状況を、聴いている人が静かにしている、および／または聴いている人が座っている、と解釈した場合、聴いている人が第２のドライバ装置により生成される音波に直接対向しないように、第１のドライバ装置は低い第１の位置にあり得、第２のドライバ装置は第１の位置にあり得る。
【００４３】
さらに、上述の第１のドライバ装置と第２のドライバ装置とを有するスピーカを動作させるための方法が開示される。上記方法は、第１の動作モードおよび第２の動作モードを備える。
【００４４】
特に、第１の動作モードである場合、第１のドライバ装置は第１の位置にあり、第２のドライバ装置も第１の位置にある。結果として、第１の動作モードで動作させられている場合、第２のドライバ装置の主音方向は、第１のドライバ装置の主音方向に対して主に垂直である。
【００４５】
スピーカが第２の動作モードで動作させられている場合、第１のドライバ装置は第２の位置にあり、第２のドライバ装置は第２の位置にある。次に、第２のドライバ装置はフレーム状形状外で回転させられ、両方のドライバ装置の両方の主音方向は主に平行に揃えられる。さらに、第１のドライバ装置の主音方向は高い位置にある。
【００４６】
任意選択で、方法は、第１の動作モードまたは第２の動作モードでスピーカを動作させるかについての判断が、スピーカの周囲の聴いている人または聴いている人のグループの位置に依存するように適合させられ得る。
【００４７】
本発明との関連で、第１のスピーカおよび第２のスピーカを備える一対のスピーカが提供される。そのようなスピーカは、上述のスピーカの実施形態、形式、態様に従って、またはその組み合わせに従って具現化される。
【００４８】
聴いている人にとって改善された音響効果を得るために、第１のスピーカおよび第２のスピーカの両方は、ハウジングのフレーム状形状内に回転可能に配置された第２のドライバ装置を備える。さらに、第１のスピーカおよび第２のスピーカは、第１のスピーカの第２のドライバ装置を第１の位置から第２の位置へ動かす場合、第１のスピーカの第１の回転方向が第２のスピーカの第２の回転方向に対して反対を向くように、第２のスピーカの第２のドライバ装置を第１の位置から第２の位置へ動かす場合、ように構成される。結果として、第１のスピーカの第２のドライバ装置の回転移動は、第２のスピーカの他の第２のドライバ装置の回転移動の鏡像である。これにより、空間音響特性の改善および聴いている人にとっての印象の調和がもたらされる。
【００４９】
言及された課題は、前述の実施形態のいずれかまたは複数、または上述のその実施形態および形式の実際的な組み合わせに記載のスピーカにより独立して解決される。上述の実施形態は、実際的かつ適切な態様で互いに組み合わされ得る。故に、本発明は、上記および下記の示される単一の実施形態に必ずしも限定されない。
【図面の簡単な説明】
【００５０】
添付図面は、様々な実施形態を示し、それにより、本発明の原理を説明するための記載と併せて役割を果たす。図面に示される単一の各特徴は、互いに関して相対的に示されており、従って、必ずしも原寸に比例しない。
【００５１】
図面における類似または同じ要素は、異なる実施形態において示される場合であっても、同じ参照番号で表される。
【００５２】
【図１】第１の位置にある第１のドライバ装置を備えるスピーカの正面図を示す。
【００５３】
【図２】第２の位置にある第１のドライバ装置を備える、図１によるスピーカの正面図を示す。
【００５４】
【図３】第１の位置にある第２のドライバ装置を備える、図１によるスピーカの斜視図である。
【００５５】
【図４】第２の位置にある第２のドライバ装置を備える、図２によるスピーカの斜視図である。
【００５６】
【図５】図３によるスピーカの正面図である。
【００５７】
【図６】図５によるスピーカの断面図Ａ−Ａである。
【００５８】
【図７】図５によるスピーカの断面図Ｂ−Ｂである。
【発明を実施するための形態】
【００５９】
図１および図２は、ハウジング２の前部３に対する視点でスピーカ１を示す。スピーカ１は地面５に立っている。ハウジング２のハウジング壁の前部３は、第１の取り付けデバイス１１を用いて、第１のドライバ装置１０を支えている。
【００６０】
本実施形態において、第１のドライバ装置１０は、を２つの中央ドライバ１４と、第１のツイータドライバ１５とを備える。これらのドライバ１４および１５は全て、第１のドライバ装置１０の全体的な主音方向１３が前部３に対して垂直に向き、前部３に対して外側に見えるように向けられている。
【００６１】
第１のドライバ装置１０は、並進機構１２を有する第１の取り付けデバイス１１を用いて、移動可能に前部３に取り付けられている。第１の取り付けデバイス１１および並進機構は、前部３と第１のドライバ装置１０との間の接続要素として一緒に機能する。特に、第１の取り付けデバイス１１は、可動部および非可動部を含む。第１の取り付けデバイス１１の非可動部は、スピーカ１のハウジング２の前部３にしっかり取り付けられている。第１のドライバ装置１０は、第１の取り付けデバイス１１の可動部に固定されている。並進機構１２は、第１のドライバ装置１０がスピーカ１のハウジング２上で第１の位置および第２の位置に配置され得るように、可動部を並進可能に非可動部に接続するために適合させられる。
【００６２】
図１および図２に示されるように、第１のドライバ装置１０は、地面５に対して低い位置および高い位置に配置され得る。言及された第１の位置は低い位置にあり（図１）、高い位置は第２の位置にある（図２）。
【００６３】
聴いている人により要求または所望された場合、例えば、聴いている人がスピーカ１の前またはスピーカ１の周囲に座っている場合、第１のドライバ装置１０は、低い位置（図３にも示される第１の位置）で配置され得る。第１の位置において、第１のドライバ装置１０または第１のドライバ装置１０のドライバ１４、１５の主音方向１３は、地面５から約８０ｃｍ〜１４０ｃｍ、好ましくは１００ｃｍおよび１２０ｃｍの距離がある。言及されたコンポーネントは、ドライバ装置１０の主音方向１３が概して、聴いている人の耳の高さの領域にあるように、互いに対して配置される。
【００６４】
追加的に、聴いている人は、スピーカ１の前部３における第１のドライバ装置の位置１０の変更も実行し得る。詳細には、第１のドライバ装置１０は、より高い位置（図２、図４、図５、図６にも示される第２の位置）に移され得る。地面５に対する第１のドライバ装置１０の主音方向１３の好ましい高さ、または地面５に対する第１のドライバ装置１０のドライバ１４、１５の主音方向の高さは、１５０ｃｍと２２０ｃｍとの間、好ましくは１６０ｃｍと２００ｃｍとの間である。第１のドライバ装置１０の高さは、ドライバ装置１０の主音方向１３が概して、立っている人の耳の高さの領域にあるように選択される。
【００６５】
図３および図４は、第１のドライバ装置１０および第２のドライバ装置２０が見え得る、スピーカ１の斜視図を示す。説明されるように、第１のドライバ装置１０は、並進機構１２を含む第１の取り付けデバイス１１により、フレーム状ハウジング２に取り付けられている。ハウジング２は、前部３と、そのフレーム状形状に起因して開側部６とを有する。開側部６は、構造的な側部構成要素ではなく、ハウジング２のフレームの開口に広がる仮想面である。
【００６６】
追加的に、または任意選択で、図３および図４に示される実施形態は、第２のドライバ装置２０も示す。本実施形態において、第２のドライバ装置２０は、２つのウーファドライバ２４が配置されたウーファ表面２８を有する共鳴ケーシング２５を有する。結果として、第２のドライバ装置２０は少なくとも部分的に、ハウジング２のフレーム状形状内に配置されている。
【００６７】
第２の取り付けデバイス２１を用いて、第２のドライバ装置２０は、ハウジング２に、特に、ハウジング２の上側および下側に、回転可能に取り付けられている。第２の取り付けデバイス２１は、回転機構２２を備える。回転機構２２は、ハウジング２と第２のドライバ装置２０の共鳴ケーシング２５との間に効果的に配置されている。図４に対して、図３に示されるように、第２のドライバ装置２０は、第１の位置（図３）において、ウーファドライバ２４の主音方向２３がハウジング２の開側部６に対して垂直に向き、結果として、第１のドライバ装置１０の主音方向１３に対して垂直であるように、その主に鉛直な回転軸２９の周りを回転させられ得る。
【００６８】
第１の位置において、第２のドライバ装置２０は完全に、フレーム状ハウジング３の体積内に収まり、ウーファ表面２８は、ハウジング３の開側部６を越えて延在しない。しかしながら、第２のドライバ装置２０は開側部６を若干拡張し得、ウーファドライバ２４を含むウーファ表面２８は依然として、開側部６に対して主に平行である。
【００６９】
第２のドライバ装置２０は、第２の位置で回転させられた場合、第１の位置に対して実質的に９０°という角度になる。結果として、第２のドライバ装置２０の主音方向２３は、第１のドライバ装置１０の主音方向１３と平行に配置される。従って、主音方向１３および２３の両方は、スピーカ１のハウジング２の前部３の前に立って聴いている人と直接対向する。
【００７０】
上述の内容に類似して、聴いている人は、所望するところに従って、第２のドライバ装置２０の位置を選択し得る。ウーファドライバ２４により放射される音波の運動エネルギの完全な衝撃を体験するために、聴いている人は、第２のドライバ装置２０を第１の位置から第２の位置にし得る。
【００７１】
スピーカ１のより具体的な詳細は、図５、図６および図７を用いて説明される。図６および図７は、図５に示されるスピーカ１の断面図である。これらの図によれば、第２のドライバ装置２０は、第２の位置にあり、故に軸２９の周りを約９０°回転しているので、第２のドライバ装置２０の主音方向２３は、第１のドライバ装置１０の主音方向１３と主に平行である。
【００７２】
図６に示されるように、第２のドライバ装置２０は、共鳴ケーシング２５を備える。共鳴ケーシング２５は、２つのウーファドライバ２４が配置されたウーファ表面２８を有する。第２の取り付けデバイス２１は、軸２９の周りを回転するための回転機構２２を有し、フレーム状ハウジング２の上側および下側と相互作用するために、共鳴ケーシング２５の上側および下側に配置されている。
【００７３】
図６は第１のドライバ装置１０の断面図も示す。ドライバ装置１０は、小さい共鳴チャンバ１７と２つのツイータドライバ１５および１６とに音響的に接するように配置された２つの中央ドライバ１４を有する。第１のツイータドライバ１５はハウジング２に対して外側に向き、第２のツイータドライバ１６は内側に向いている。第１のドライバ装置１０の主音方向１３は、２つの中央ドライバ１４および第１のツイータドライバ１５で放射されている音波の全ての音ベクトルのベクトル総和である。第２のツイータドライバ１６は、第１のドライバ装置１０の主音方向１３の定義について考慮されないものとする。
【００７４】
第２のツイータドライバ１６は、その音波を主に第２のドライバ装置２０に向かって、特に、第２のドライバ装置２０のウーファ表面２８に対して放射している。第２のツイータドライバ１６から放射される音波を反射すべく、第２のドライバ装置２０が第２の位置にある場合、反射表面２６が、第２のツイータドライバ１６の直前のウーファ表面２８上に配置されている。第２のツイータドライバ１６と反射表面２６とのそのような構成に起因して、高周波数に対して良好に放射される音の全体が、第１のツイータドライバ１５および第２のツイータドライバ１６の両方により放射される（図７も参照されたい）。
【００７５】
図７は、第１の位置から第２の位置に変わる場合とその逆の場合における第２のドライバ装置２０の回転移動を主に説明する。ハウジング２、第２の取り付けデバイス２１およびその回転機構２２は、第２のドライバ装置２０が円３０で回転するように配置されている。さらに、ハウジング２の内側側部７は、幾何学上の態様において、第２のドライバ装置２０の側面３１と対応している。これにより、第２のドライバ装置２０は、第１の位置にある場合、フレーム状ハウジング２内に良く嵌まる。
【００７６】
共鳴ケーシング２５は、バスレフレックスチューブ２７を備える。バスレフレックスチューブ２７は、ウーファ２４により生成される音質を改善するために、共鳴ケーシング２５の内側体積を環境と接続する。上記バスレフレックスチューブ２７は、少なくとも部分的に、セラミック材料から、特に磁器から製造され得る。
【００７７】
本発明は、上述の実施形態および修正形態に限定されず、その主旨内の様々な形態で具現化され得る。例えば、発明の概要において説明される実施形態および形式による技術的特徴に対応する実施形態および修正形態の技術的特徴は、上述の課題のいくつかまたは全てを解決するために、または、上述の効果のいくつかまたは全てを得るために、適宜、入れ替えられ得るか、または組み合わされ得る。
【００７８】
例えば、ウーファおよび対応する共鳴体積がしっかり配置され、スピーカのハウジングに接続された第１のドライバ装置１０のみを有するスピーカを提供することは、本発明の範囲内にある。結果として、ツイータドライバおよび／または中央ドライバの位置のみが、調整または選択され得る。
【００７９】
さらに、第２のドライバ装置のみが、スピーカのハウジング内に移動可能に配置され、中央ドライバおよび／またはツイータドライバがスピーカのハウジングにしっかり取り付けられることは、本発明の範囲内にある。  ［参照番号］
１    スピーカ
２    ハウジング
３    前部
４    側部
５    地面
６    フレーム状形状
７    内側部
１０    第１のドライバ装置
１１    第１の取り付けデバイス
１２    並進機構
１３    主音方向（第１のドライバ装置）
１４    中央ドライバ
１５    第１のツイータドライバ
１６    第２のツイータドライバ
１７    共鳴チャンバ
２０    第２のドライバ装置
２１    第２の取り付けデバイス
２２    回転機構
２３    主音方向（第２のドライバ装置）
２４    ウーファドライバ
２５    共鳴ケーシング
２６    反射表面
２７    バスレフレックスチューブ
２８    ウーファ表面
２９    軸
３０    円
３１    側面
【図１】
2019515613.tif 000003
【図２】
2019515613.tif 000004
【図３】
2019515613.tif 000005
【図４】
2019515613.tif 000006
【図５】
2019515613.tif 000007
【図６】
2019515613.tif 000008
【図７】
2019515613.tif 000009
【国際調査報告】
2019515613.tif 000010
2019515613.tif 000011
2019515613.tif 000012